(57)【要約】【課題】種々のサイズの翼部を有するシリンダに容易に嵌着することができるとともに、注射器を用いた片手での吸引操作に利用できる器具を提供する【解決手段】嵌着器具（１）は、開口部（３ａ）が形成されている筒状部（２）と、筒状部（２）から筒状部（２）の外方向に延びる第１フランジ部（４）とを備えている。筒状部（２）には、バレル（２０）の翼部（２１）を嵌通させる嵌通孔（３ｂ）が形成されている。第１フランジ部（４）は、筒状部（２）の長手方向において嵌通孔（３ｂ）が形成されている側とは反対側に設けられている。【選択図】図１
2016179090.tif 000002
【特許請求の範囲】
【請求項１】
注射器のバレルに嵌着される嵌着器具であって、
自身の長手方向に開口部が形成されている筒状部と、
上記開口部と反対側における上記筒状部から上記筒状部の外方向に延びる第１フランジ部と、を備え、
上記筒状部には、ユーザが指を当てるために上記バレルの一端に設けられた翼部を嵌通させる嵌通孔が上記筒状部の周方向に形成されており、
上記第１フランジ部は、上記筒状部の長手方向において上記嵌通孔が形成されている側とは反対側に設けられていることを特徴とする嵌着器具。
【請求項２】
上記筒状部の長手方向において上記第１フランジ部が備えられている側の上記筒状部に設けられ、上記筒状部の外方向に突出している突起部をさらに備えていることを特徴とする請求項１に記載の嵌着器具。
【請求項３】
上記開口部が形成されている上記筒状部の側面から上記筒状部の外方向に延びる翼部をさらに備え、
上記翼部は、上記筒状部の長手方向において上記嵌通孔が形成されている側に設けられていることを特徴とする請求項１または２に記載の嵌着器具。
【請求項４】
上記翼部には、上記嵌通孔と連通する凹部が形成され、
上記凹部の底面は、上記翼部における表面から傾斜するように形成されていることを特徴とする請求項３に記載の嵌着器具。
【請求項５】
上記筒状部の長手方向において上記嵌通孔が形成されている側に、上記開口部と反対側における上記筒状部から上記筒状部の外方向に延びる上記第１フランジ部とは異なる第２フランジ部をさらに備え、
上記第１フランジ部と上記第２フランジ部とは互いに対向していることを特徴とする請求項１から４のいずれか１項に記載の嵌着器具。
【請求項６】
上記嵌通孔を塞ぐシールをさらに備えていることを特徴とする請求項１から５のいずれか１項に記載の嵌着器具。
【発明の詳細な説明】
【技術分野】
【０００１】
本発明は、注射器に嵌着する嵌着器具に関する。
【背景技術】
【０００２】
医療分野において広く使用されている注射器は、円筒形の注射筒と、注射筒内を摺動するプランジャとを有しており、当該プランジャの端部は指で押し易い面構造である。このため、注射器を用いた片手での注入操作が容易である一方、片手での吸引操作は難しく、吸引操作においては両手で行われることが多い。しかしながら、医療現場において、片手での吸引操作が必要となる場合がある。例えば、星状神経節ブロックなどの医療的施術では、片手での吸引操作および注入操作を行うことにより、患者に注入する麻酔薬の量を調整する必要がある。
【０００３】
そこで、従来から、片手での吸引操作を可能とする注射器や、注射器に嵌着する補助具が提案されている。例えば、特許文献１には、注射器に嵌着する補助具として、注射シリンダに嵌着される半円筒状部材の両側に中指と人差し指を差込むリング体を取着し、半円筒状部材の端部にシリンダの翼部に係止する係止片を設けた指固定具が開示されている。
【先行技術文献】
【特許文献】
【０００４】
【特許文献１】実用新案登録第３１４９２３９号公報（２００９年２月２５日登録）
【発明の概要】
【発明が解決しようとする課題】
【０００５】
しかしながら、特許文献１に開示された指固定具において、シリンダの翼部を係止する係止片は、一枚の金属片から裁断して折り曲げ加工により制作されており、コの字状に折り曲げられている形状である。このため、指固定具に嵌着するシリンダにおける翼部の大きさによっては、係止片によりシリンダの翼部を係止できないという課題がある。また、係止片によりシリンダの翼部を係止するために、ユーザはシリンダの翼部において適切な部位を選ぶ必要があり、ユーザの手間が生じるという課題がある。
【０００６】
本発明は、上記の課題に鑑みてなされたものであって、その目的は、種々のサイズの翼部を有するシリンダに容易に嵌着することができるとともに、注射器を用いた片手での吸引操作に利用できる嵌着器具を提供することにある。
【課題を解決するための手段】
【０００７】
上記の課題を解決するために、本発明の一態様に係る嵌着器具は、注射器のバレルに嵌着される嵌着器具であって、自身の長手方向に開口部が形成されている筒状部と、上記開口部と反対側における上記筒状部から上記筒状部の外方向に延びる第１フランジ部と、を備え、上記筒状部には、ユーザが指を当てるために上記バレルの一端に設けられた翼部を嵌通させる嵌通孔が上記筒状部の周方向に形成されており、上記第１フランジ部は、上記筒状部の長手方向において上記嵌通孔が形成されている側とは反対側に設けられている。
【０００８】
上記の構成によれば、ユーザがバレルを嵌着器具に嵌着させる場合に、バレルの一端に設けられた翼部は、筒状部に形成されている嵌通孔に嵌通する。このため、バレルの翼部がどのような大きさであっても、嵌通孔に嵌通する大きさであれば、バレルの翼部を嵌通孔に嵌通させてバレルを嵌着器具に嵌着させることが可能となる。また、嵌着器具にバレルを嵌着させるために、ユーザは、バレルの翼部における適切な部位を選ぶ必要がない。それゆえ、ユーザは、１つの嵌着器具を用いて種々のサイズの翼部を有するバレルに容易に嵌着することが可能となる。
【０００９】
また、上記の構成によれば、第１フランジ部は、開口部と反対側における筒状部から筒状部の外方向に延びており、筒状部の長手方向において嵌通孔が形成されている側とは反対側に設けられている。このため、ユーザは、嵌着器具に嵌着された注射器を使用する際に、第１フランジ部を片手での吸引操作に利用することができる。例えば、ユーザは、吸引操作時に第１フランジ部に指を当てフランジ部を押すことができる。
【００１０】
さらに、本発明の一態様に係る嵌着器具では、上記筒状部の長手方向において上記第１フランジ部が備えられている側の上記筒状部に設けられ、上記筒状部の外方向に突出している突起部を備えていることが好ましい。
【００１１】
上記の構成によれば、ユーザは、嵌着器具に嵌着された注射器を使用する際に、筒状部の外方向に突出して設けられている第１フランジ部とともに、筒状部の外方向に突出して設けられている突起部を片手での吸引操作に利用することができる。すなわち、第１フランジ部と突起部とをユーザの指で（例えば人差し指および中指のそれぞれで）押すことにより、片手での吸引操作を容易にすることが可能となる。
【００１２】
さらに、本発明の一態様に係る嵌着器具では、上記開口部が形成されている上記筒状部の側面から上記筒状部の外方向に延びる翼部を備え、上記翼部は、上記筒状部の長手方向において上記嵌通孔が形成されている側に設けられていることが好ましい。
【００１３】
上記の構成によれば、嵌着器具における翼部は、開口部が形成されている筒状部の側面から筒状部の外方向に延びる平面を表面として含む。このため、嵌着器具における翼部は、嵌着対象となるバレルが筒状部内にスムーズに収まるように誘導することが可能となる。それゆえ、ユーザは、容易にバレルを嵌着器具に嵌着することが可能となる。
【００１４】
さらに、上記構成によれば、嵌着器具における翼部は、筒状部の長手方向において嵌通孔が形成されている側に設けられている。このため、嵌着器具における翼部は、嵌通孔が形成されている側の筒状部の強度を担保することが可能となる。それゆえ、ユーザがバレルの翼部を嵌通孔に嵌通させる場合に、筒状部の破損を防止できる。また、ユーザが嵌着器具に嵌着したバレルを使用する場合に、嵌通孔に嵌通しているバレルの翼部とともに嵌着器具の翼部に指を当て片手での注入操作に利用することが可能となる。
【００１５】
さらに、本発明の一態様に係る嵌着器具では、上記翼部には、上記嵌通孔と連通する凹部が形成され、上記凹部の底面は、上記翼部における表面から傾斜するように形成されていることが好ましい。
【００１６】
上記の構成によれば、ユーザがバレルを嵌着器具に嵌着させる場合に、バレルにおける翼部は、凹部の底面に形成された傾斜に沿って誘導される。このため、ユーザは、バレルの翼部を嵌通孔に嵌通させることにより、バレルの翼部を筒状部の周方向における所定の位置に確実に固定して、バレルを嵌着器具に嵌着させることができる。
【００１７】
さらに、本発明の一態様に係る嵌着器具では、上記筒状部の長手方向において上記嵌通孔が形成されている側に、上記開口部と反対側における上記筒状部から上記筒状部の外方向に延びる、上記第１フランジ部とは異なる第２フランジ部を備え、上記第１フランジ部と上記第２フランジ部とは互いに対向していることが好ましい。
【００１８】
上記の構成によれば、第１フランジ部とは異なる第２フランジ部は、筒状部の長手方向において嵌通孔が形成されている側に、開口部と反対側における筒状部から筒状部の外方向に延びる。このため、ユーザが嵌着器具に嵌着したバレルを使用する場合に、第２フランジ部を注入操作に利用することが可能となる。
【００１９】
例えば、嵌着対象のバレルの翼部が小さい場合（嵌着対象となる注射器のうち最も小さい容量の注射器の場合）、嵌着器具にバレルを嵌着させると、嵌通孔に嵌通しているバレルの翼部を注入操作に利用できないことがある。このため、嵌通孔に嵌通しているバレルの翼部の代わりに、第２フランジ部を利用することにより、注入操作を行うことが可能となる。それゆえ、ユーザは、嵌着器具を種々のサイズのバレルに嵌着して、注入操作および吸引操作を行うことが可能となる。
【００２０】
さらに、本発明の一態様に係る嵌着器具では、上記嵌通孔を塞ぐシールを備えていることが好ましい。
【００２１】
上記の構成によれば、注射器が嵌着器具に嵌着された場合に、バレルの翼部が嵌通孔を嵌通することにより、嵌通孔を塞いでいたシールが破られる。このため、ユーザは、シールによって嵌通孔が塞がれているか否かを確認することにより、嵌着器具が既に使用されたものか否かを判断することができる。
【発明の効果】
【００２２】
本発明は、１つの嵌着器具を用いて種々のサイズの翼部を有するバレルに嵌着することが可能となるとともに、嵌着器具に嵌着された注射器を使用する際に、嵌着器具を片手での吸引操作に利用することができるという効果を奏する。
【図面の簡単な説明】
【００２３】
【図１】（ａ）は本発明の一実施形態に係る嵌着器具の構造を示す斜視図である。（ｂ）は注射器に嵌着している上記嵌着器具の一例を示す図である。
【図２】上記嵌着器具を示す平面図である。
【図３】（ａ）は上記嵌着器具を示す正面図である。（ｂ）は上記嵌着器具を示す左側面図である。
【図４】（ａ）および（ｂ）は小さい容量の注射器を上記嵌着器具に嵌着させる過程を示す図である。（ｃ）は注射器に嵌着している上記嵌着器具の別の一例を示す図である。
【発明を実施するための形態】
【００２４】
〔１．バレル２０の外径が嵌着器具１の内径以上である注射器を嵌着する場合〕
本発明の一実施形態に係る嵌着器具１について図１〜図３を参照して説明する。なお、本発明に係る嵌着器具１は、サイズの異なる注射器におけるバレル（外筒）に嵌着し、片手での吸引操作に利用されるものである。このため、嵌着器具１が嵌着する対象は、片手での吸引操作が可能な容量の注射器であることを想定している。例えば、嵌着器具１が嵌着する対象は、１ｍｌ、２．５ｍｌ、５ｍｌ、１０ｍｌ、２０ｍｌ、３０ｍｌ、５０ｍｌ、１００ｍｌなどの容量の注射器である。
【００２５】
まず、嵌着器具１は、バレル２０の外径が嵌着器具１の内径以上である注射器１０（例えば、１０ｍｌ以上の容量の注射器）を嵌着する場合について説明する。
【００２６】
（嵌着器具１の概要）
図１の（ｂ）は、注射器１０に嵌着している嵌着器具１の一例を示す図である。まず、注射器１０の概要について図１の（ｂ）を用いて説明する。図示のように、注射器１０はバレル２０およびプランジャ３０を備えている。バレル２０は筒形状であり、バレル２０の一端にはユーザの指（例えば中指および人差し指）を掛ける翼部２１がバレル２０の外側に張り出して設けられている。
【００２７】
プランジャ３０はバレル２０内を摺動するものである。プランジャ３０の一端（不図示）は、バレル２０内に挿入されており、バレル２０内周面上を長手方向に摺動可能となっている。また、プランジャ３０の他端には、ユーザの指（例えば親指）を当ててプランジャ３０を押すための指当て部３１が設けられている。
【００２８】
そして、図１の（ｂ）に示すように、バレル２０における１つの翼部２１を嵌着器具１に形成されている嵌通孔３ｂに嵌通させると、筒状部２がバレル２０の外周面に密着する。このようにして、嵌着器具１によりバレル２０を嵌着する。
【００２９】
（嵌着器具１の要部構成）
次に、図１の（ａ）を用いて嵌着器具１の要部構成について説明する。図１の（ａ）は、嵌着器具１の構造を示す斜視図である。図示のように、本実施形態における嵌着器具１は、筒状部２、第１フランジ部４、突起部５、第２フランジ部６、翼部７、誘導部８ａおよび誘導補助部８ｂを備えている構成である。
【００３０】
筒状部２は、嵌着される注射器１０におけるバレル２０を嵌着するものである。筒状部２の長手方向には、嵌着対象となるバレル２０を挿入するための開口部３ａが形成されている。筒状部２の周方向には、バレル２０の一端に設けられた翼部２１を嵌通させる嵌通孔３ｂが形成されている。嵌通孔３ｂは、嵌着対象となるバレル２０の翼部２１を嵌通させる程度の大きさの孔である。
【００３１】
第１フランジ部４は、吸引操作時にユーザが指を当てる部位として利用されるものであり、筒状部２の外周面から筒状部２の外方向に延びる平面を表面として含んでいる。すなわち、第１フランジ部４は、筒状部２の外周面に外方向に突出して設けられている。具体的には、第１フランジ部４は、筒状部２の長手方向において、嵌通孔３ｂが形成されている側とは反対側に設けられており、筒状部２の周方向において、筒状部２に形成された開口部３ａと反対側に設けられている。
【００３２】
例えば、第１フランジ部４の形状は、図１の（ｂ）に示すように、嵌着されるバレル２０の翼部２１と同様の形状であり、第１フランジ部４は、筒状部２の長手方向において嵌通孔３ｂが形成されている側とは反対側の一端に、嵌着されるバレル２０の翼部２１と対向するように設けられる。なお、第１フランジ部４は、図１の（ｂ）に示すように筒状部２の長手方向における一端に設けられるものとして限定されない。例えば、第１フランジ部４は、筒状部２の長手方向の、嵌通孔３ｂが形成されている側とは反対側において、筒状部２の一端よりも嵌通孔３ｂ寄りに設けられていてもよい。
【００３３】
突起部５は、吸引操作時にユーザが指を当てる部位として利用されるものであり、筒状部２の長手方向において、嵌通孔３ｂが形成されている側とは反対側に、筒状部２の外周面に外方向に突出して設けられている。具体的には、突起部５は、第１フランジ部４が設けられている位置における筒状部２の周方向と同一の周方向に設けられている。例えば、図１の（ａ）に示すように、第１フランジ部４が筒状部２の一端に設けられる場合、突起部５も第１フランジ部４が設けられている側における筒状部２の一端に設けられる。さらに、突起部５は、開口部３ａが形成されている筒状部２の側面２ａから筒状部２の外方向に延びる平面を表面として含んでいてもよい。
【００３４】
第２フランジ部６は、注入操作時にユーザが指を当てる部位として利用されるもの（嵌通孔３ｂに嵌通しているバレル２０の翼部２１の代わりに利用されるもの）であり、筒状部２の外周面から筒状部２の外方向に延びる平面を表面として含んでいる。すなわち、第２フランジ部６は、筒状部２の外周面に外方向に突出して設けられている。また、第２フランジ部６は、筒状部２の長手方向において嵌通孔３ｂが形成されている側に、第１フランジ部４と対向して設けられている。
【００３５】
例えば、第２フランジ部６の形状は、嵌着されるバレル２０の翼部２１と同様の形状であってもよい。嵌着器具１に嵌着しているバレル２０の翼部２１は、図１の（ｂ）に示すように、第２フランジ部６と接している。
【００３６】
翼部７は、注入操作時にユーザが指を当て利用するためのものであり、側面２ａから筒状部２の外方向に延びる平面を表面として含むものである。すなわち、翼部７は、側面２ａから筒状部２の外方向に延びている。また、翼部７は、筒状部２の周方向における強度を担保するためのものであり、筒状部２の長手方向において嵌通孔３ｂが形成されている側に設けられている。注入操作時に利用されるための翼部７は、少なくとも１つあればよい。また、筒状部２の強度を担保するための翼部７は、対向する側面２ａに１つずつ備えられていることが好ましい。
【００３７】
以上の構成により、ユーザは、バレル２０を嵌着器具１に嵌着させる場合に、筒状部２に形成されている開口部３ａからバレル２０を挿入し、筒状部２に形成されている嵌通孔３ｂにバレル２０の一端に設けられた翼部２１を嵌通させて、バレル２０を筒状部２に固定する。なお、誘導部８ａおよび誘導補助部８ｂについては図３にて後述する。
【００３８】
（バレル２０の嵌着）
図２は、嵌着器具１を示す平面図である。図２に示すように、筒状部２は、Ｃ字形状であり、嵌着器具１を外側に撓ませることで開口部３ａを広げて、筒状部２の内部に注射器１０を嵌着できるようになっている。例えば、筒状部２は弾性体である。このため、嵌着対象の注射器１０におけるバレル２０の外径が筒状部２の内径よりも大きい場合（例えば容量２０ｍｌ以上の注射器の場合）、筒状部２に形成されている開口部３ａを広げることにより、バレル２０を筒状部２に密着させて固定することが可能となる。
【００３９】
また、Ｃ字形状である筒状部２は、バレル２０の外周面のうち半周以上の面積を覆うため、Ｕ字形状である場合と比較して、バレル２０を密着させ易い。このため、嵌着器具１はバレル２０から外れにくい構成となる。それゆえ、ユーザは、嵌着器具１を嵌着している注射器１０を使用する場合、安定して注入操作および吸引操作を行うことができる。
【００４０】
第２フランジ部６は、開口部３ａと反対側における筒状部２の外周面に設けられている。すなわち、第２フランジ部６は、筒状部２の周方向において中央部に備えられており、嵌着器具１は、第２フランジ部６に関して対称となっている。
【００４１】
嵌着器具１の翼部７は、筒状部２の外周面に対して垂直に突出して備えられている。このため、翼部７は、バレル２０が筒状部内にスムーズに収まるように誘導することが可能となる。それゆえ、ユーザは、容易にバレル２０を嵌着器具１に嵌着することが可能となる。
【００４２】
図３の（ａ）は嵌着器具１を示す正面図である。図３の（ａ）に示すように、突起部５は、翼部７と同様に筒状部２の外周面に対して垂直に突出して備えられている。そして、筒状部２において突起部５が備えられている側の側面２ａには、突起部５と翼部７との間を連結する誘導部８ａが備えられている。誘導部８ａは、嵌着対象のバレル２０を筒状部２内に嵌着する際、バレル２０が筒状部２内にスムーズに収まるようにバレル２０を誘導するためのものであり、側面２ａから筒状部２の外方向に延びる平面を表面として含むものである。すなわち、誘導部８ａは、突起部５および翼部７と同様に筒状部２の外周面に対して垂直に突出して設けられている。なお、誘導部８ａが筒状部２から突出する高さＨ１は、突起部５および翼部７が筒状部２から突出する高さＨ２よりも低いことが好ましい。
【００４３】
上記の構成によれば、突起部５、翼部７および誘導部８ａは、同一の側面２ａ上に備えられており、嵌着対象のバレル２０が筒状部２内にスムーズに収まるように誘導することが可能となる。それゆえ、ユーザは、バレル２０を嵌着器具１に嵌着させる場合に、容易にバレル２０を嵌着器具１に嵌着することが可能となる。
【００４４】
また、筒状部２において突起部５が備えられていない側の側面２ａには、翼部７から延びる誘導補助部８ｂが備えられている。誘導補助部８ｂは、嵌着対象のバレル２０を筒状部２内に補助的に誘導するためのものであり、側面２ａから筒状部２の外方向に延びる平面を表面として含むものである。すなわち、誘導補助部８ｂは、翼部７と同様に筒状部２の外周面に垂直に突出して設けられている。なお、誘導補助部８ｂが筒状部２から突出する高さＨ３は、誘導部８ａが筒状部２から突出する高さＨ１よりも低いことが好ましい。
【００４５】
上記の構成によれば、誘導補助部８ｂは、翼部７と同一の側面２ａ上に備えられているため、嵌着対象のバレル２０が筒状部２内にスムーズに収まるように誘導することが可能となる。それゆえ、ユーザは、バレル２０を嵌着器具１に嵌着させる場合に、容易にバレル２０を嵌着器具１に嵌着することが可能となる。
【００４６】
（バレル２０における翼部２１の嵌着）
次に、図１の（ａ）を用いて凹部７ａについて説明する。図１の（ａ）に示すように、嵌着器具１が備えている翼部７には、嵌通孔３ｂと連通する凹部７ａが形成されていてもよい。凹部７ａの底面は、翼部７における表面から傾斜するように形成されている。例えば、凹部７ａの底面が翼部７から傾斜している方向に、筒状部２の外周面において第２フランジ部６が連結している部位があることが好ましい。
【００４７】
上記の構成によれば、ユーザがバレル２０を嵌着器具１に嵌着させる場合に、ユーザがバレル２０を嵌着器具１に嵌着させる場合に、バレル２０における翼部２１は、凹部７ａの底面に形成された傾斜に沿って誘導される。これにより、ユーザは、バレル２０の翼部２１を嵌通孔３ｂに嵌通させることにより、バレル２０の翼部２１を筒状部２の周方向における所定の位置に確実に固定して、バレル２０を嵌着器具１に嵌着させることができる。例えば、バレル２０の翼部２１が固定される所定の位置とは、第１フランジ部４と対向している第２フランジ部６が設置されている位置である。
【００４８】
（注入操作および吸引操作への利用）
図３の（ｂ）は嵌着器具１を示す左側面図である。図３の（ｂ）に示すように、第１フランジ部４および突起部５は、筒状部２における同一の周方向に設けられている。このため、ユーザは、嵌着器具１に嵌着された注射器１０を使用する場合、第１フランジ部４および突起部５を片手での吸引操作に利用することができる。すなわち、第１フランジ部４と突起部５とをユーザの指で（例えば人差し指および中指のそれぞれで）押すことにより、片手での吸引操作を容易にすることが可能となる。
【００４９】
なお、吸引操作自体は、例えば、ユーザの親指をプランジャ３０の指当て部３１に掛けて、プランジャ３０を引くことにより行われてもよい。また例えば、吸引操作は、指当て部２１に別途嵌着される器具（リング等）にユーザの親指を掛けて、プランジャ３０を引くことにより行われてもよい。
【００５０】
また、嵌着器具１の翼部７は、嵌通孔３ｂが形成されている周方向における筒状部２に設けられている。このため、ユーザは、嵌着器具１に嵌着したバレル２０を使用する場合に、嵌通孔３ｂに嵌通しているバレル２０の翼部２１とともに嵌着器具１の翼部７に指（例えば人差し指および中指）を当て片手での注入操作に利用することが可能となる。
【００５１】
また、ユーザが嵌着対象となる注射器１０を嵌着器具１に嵌着させると、第２フランジ部６は、嵌通孔３ｂに嵌通しているバレル２０の翼部２１に隣接する。このため、ユーザは、嵌着器具１に嵌着した注射器１０を使用する場合、嵌通孔３ｂに嵌通しているバレル２０の翼部２１の代わりに、第２フランジ部６を利用することが可能となる。
【００５２】
また、第１フランジ部４は、第２フランジ部６と対向して嵌着器具１に備えられている。第２フランジ部６は、嵌通孔３ｂに嵌通されるバレル２０の翼部２１と接する位置に備えられている（図１の（ｂ）参照）。第１フランジ部４は、嵌通孔３ｂに嵌通されるバレル２０の翼部２１と対向する位置に備えられている。
【００５３】
このため、ユーザは、嵌着器具１に嵌着された注射器１０を使用する場合、片手での注入操作においてバレル２０の翼部２１に当てていた指を、筒状部２の長手方向にスライドさせて第１フランジ部４に当て、片手での吸引操作を行うことができる。すなわち、片手での注入操作と片手での吸引操作とを使い分ける動作が簡易となる。
【００５４】
（変形例）
嵌通孔３ｂ付近の筒状部２には、嵌通孔３ｂを塞ぐシールが備えられていてもよい。当該シールは、嵌通孔３ｂにおける孔全体を塞いでもよいし、嵌通孔３ｂにおける一部の孔を塞いでもよい。
【００５５】
上記の構成によれば、注射器１０が嵌着器具１に嵌着された場合に、バレル２０の翼部２１が嵌通孔３ｂを嵌通することにより、嵌通孔３ｂを塞いでいたシールが破られる。このため、ユーザは、シールによって嵌通孔３ｂが塞がれているか否かを確認することにより、嵌着器具１が既に使用されたものか否かを判断することができる。
【００５６】
なお、嵌着器具１が既に使用されたものか否かを判断するためのシールは、嵌通孔３ｂ付近の筒状部２に備えられるものとして限定されなくてもよい。例えば、シールは、開口部３ａ付近の筒状部２に備えられてもよいし、筒状部２の長手方向における端部に備えられてもよい。
【００５７】
〔２．バレル２０の外径が嵌着器具１の内径以下である注射器を嵌着する場合〕
本発明の別の一実施形態に係る嵌着器具１について図４を参照して説明する。なお、説明の便宜上、前記実施形態にて説明した部材と同じ機能を有する部材については、同じ符号を付記し、その説明を省略する。以下では、嵌着器具１は、バレル２０の外径が嵌着器具１の内径より小さい注射器１０（例えば、５ｍｌの容量の注射器）を嵌着する場合について説明する。
【００５８】
（バレル２０の嵌着）
図４の（ａ）および（ｂ）は、小さい容量（例えば５ｍｌの容量）の注射器１０を嵌着器具１に嵌着させる過程を示す図である。図４の（ａ）は、バレル２０の翼部２１が嵌通孔３ｂに嵌通している嵌着器具１を示す図である。嵌着器具１に嵌着しているバレル２０の外径は、筒状部２の内径よりも小さい。また、バレル２０における互いに対向する２つ翼部２１が、嵌通孔３ｂに嵌通している。
【００５９】
図４の（ａ）に示すように、バレル２０の外側面と筒状部２の内側面との間に隙間が生じている。このため、嵌着器具１は、筒状部２によってバレル２０に固定されず、バレル２０の側面を自由に回転できる。
【００６０】
図４の（ｂ）は、図４の（ａ）に示す嵌着器具１を、バレル２０の周方向に回転させた図である。図４の（ｂ）に示す矢印の方向に、図４の（ａ）に示す嵌着器具１を回転させることにより、バレル２０における２つの翼部２１が、嵌着器具１の翼部７に当たり固定される。
【００６１】
上記の構成によれば、バレル２０の外側面と筒状部２の内側面との間に隙間が生じていたとしても、嵌着器具１における翼部７によりバレル２０における２つの翼部２１を固定し、嵌着器具１に注射器１０を嵌着できる。このため、嵌着器具１は、筒状部２の内径以上のバレル２０の外径を有する注射器１０だけでなく、筒状部２の内径よりも小さいバレル２０の外径を有する注射器１０も、嵌着することが可能となる。
【００６２】
図４の（ｃ）は、注射器１０に嵌着している嵌着器具１の別の一例を示す図である。図４の（ｃ）に示す嵌着器具１は、注射器１０の側面に記されている容量を示す目盛を覆わないように、バレル２０の周方向（図４の（ｂ）に示す矢印の方向）に回転したものである。このため、ユーザは、注射器１０の目盛を視認することが可能となる。
【００６３】
また、嵌着器具１は、図４の（ｂ）に示す矢印の方向とは反対の方向に回転されてもよい。嵌着器具１が透明性を有する素材で形成されていれば、注射器１０の目盛が嵌着器具１により覆われてしまったとしても、ユーザは注射器１０の目盛を視認することが可能となる。
【００６４】
（注入操作への利用）
嵌着器具１に嵌着しているバレル２０の外径が筒状部２の内径よりも小さい場合、バレル２０の翼部２１が小さいため、図４の（ｂ）のように嵌着器具１にバレル２０を嵌着させると、嵌通孔３ｂに嵌通しているバレル２０の翼部２１を注入操作に利用することが困難となる場合がある。このような場合、嵌通孔３ｂに嵌通しているバレル２０の翼部２１の代わりに、第２フランジ部６を利用することにより、注入操作を容易に行うことが可能となる。
【００６５】
具体的には、ユーザは、第２フランジ部６とともに嵌着器具１の翼部７に指（例えば、人差し指および中指）を当て、第２フランジ部６および翼部７を引くことにより、片手での注入操作に利用することが可能となる。
【００６６】
（まとめ）
以上のことから、嵌着対象の注射器１０におけるバレル２０の外径が、嵌着器具１の内径以上である場合（例えば、１０ｍｌ以上の容量の注射器の場合）、ユーザは、図１の（ｂ）に示すように、バレル２０における１つの翼部２１を、嵌着器具１に形成されている嵌通孔３ｂに嵌通させる。これにより、バレル２０は筒状部２により嵌着器具１に嵌着され、ユーザは、嵌着器具１に嵌着された注射器１０を使用することができる。
【００６７】
また、嵌着対象の注射器１０におけるバレル２０の外径が、嵌着器具１の内径より小さい場合（例えば、５ｍｌの容量の注射器の場合）、ユーザは、図４の（ｂ）に示すように、バレル２０における２つの翼部２１を、嵌着器具１に形成されている嵌通孔３ｂに嵌通させ、嵌着器具１をバレル２０の周方向に回転させる。これにより、バレル２０は翼部７により嵌着器具１に嵌着され、ユーザは、嵌着器具１に嵌着された注射器１０を使用することができる。
【００６８】
このようにして、ユーザは、嵌着器具１を種々のサイズのバレル２０に嵌着して、注入操作および吸引操作を行うことが可能となる。
【００６９】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００７０】
本発明は、片手での注入操作が可能な注射器に利用することができる。
【符号の説明】
【００７１】
１  嵌着器具
２  筒状部、２ａ  側面、３ａ  開口部、３ｂ  嵌通孔
４  第１フランジ部
５  突起部
６  第２フランジ部
７  翼部、７ａ  凹部
８ａ  誘導部、８ｂ  誘導補助部
１０  注射器、２０  バレル、２１  翼部、３０  プランジャ、３１指当て部
【図１】
2016179090.tif 000003
【図２】
2016179090.tif 000004
【図３】
2016179090.tif 000005
【図４】
2016179090.tif 000006